(57)【要約】【課題】キャリッジを主走査方向に往復動作させて画像を形成するシリアルタイプの記録装置において、プリンタ機内に浮遊するミストの回収に対して、ファンによる吸気の効果を十分に発揮させる。【解決手段】記録手段を搭載したキャリッジを移動させて記録媒体に記録を行うシリアル記録装置において、装置本体内から吸気を行うファン７，８と、前記キャリッジ２の位置を検知するリニアエンコーダ１１やセンサ９，１０と、検知したキャリッジ位置と、記録手段の記録信号に応じてファン７，８の駆動を制御する吸気制御手段とを有する。【選択図】    図１
2004181704.tif 000002
【特許請求の範囲】
【請求項１】
記録手段を搭載したキャリッジを移動させて記録媒体に記録を行うシリアル記録装置において、
装置本体内から吸気を行う吸気手段と、
前記キャリッジの位置を検知するキャリッジ状態検知手段と、
前記キャリッジ状態検知手段により検知したキャリッジ位置と、前記記録手段の記録信号に応じて前記吸気手段の駆動を制御する吸気制御手段と、
を有することを特徴とするシリアル記録装置。
【発明の詳細な説明】
【０００１】
【発明の属する技術分野】
本発明は、複写機、ファクシミリ装置、プリンタ等の記録装置、特に記録媒体を搬送する方向と垂直な方向にキャリッジを走査し、１回の走査分の記録画像を形成する度に記録媒体を所定ピッチだけ送る動作を繰り返すシリアルタイプの記録装置に関する。
【０００２】
【従来の技術】
従来、複写機、ファクシミリ装置、コンピュータやワードプロセッサ等を含む複合型電子機器やワークステーション等の出力機器として用いられるプリンタ等の記録装置は、制御信号により伝達される画像情報に基づいて記録シートやプラスチック薄板等の記録媒体に画像を記録する。
【０００３】
このような記録装置のうち、シリアルタイプのものは、記録媒体の搬送方向（副走査方向）と直交する方向（主走査方向）に記録手段が走査するシリアルスキャン方式が採用されている。具体的には、記録媒体を所定の記録位置にセットした後、記録手段が搭載されたキャリッジが記録媒体の搬送方向と直角な方向に移動（主走査）しながら、記録手段によって記録媒体に画像を記録し、１行分の記録を終了した後に記録媒体が所定ピッチだけ搬送（副走査）されて停止し、再度キャリッジが主走査しながら記録手段によって記録媒体に次行の記録を行うという動作を繰り返すことにより、記録媒体全体の画像記録を行う構成である。
【０００４】
これらの記録装置には、インクジェット方式、ワイヤドット式、サーマル式、レーザービーム式等の記録方式が採用されている。このうち、インクジェット方式の記録装置は、記録手段（記録ヘッド）から記録媒体にインクを吐出して記録を行うものである。そしてこれは、記録手段のコンパクト化が容易であり、高精細な画像を高速で記録することができ、普通紙に特別の処理を必要とせずに記録することができ、ランニングコストが安く、ノンインパクト方式であるため騒音が少なく、しかも多色のインクを用いたカラー画像記録が容易である等の利点を有している。特に、熱エネルギーを利用してインクを吐出するタイプのインクジェット方式の記録ヘッドは、エッチング、蒸着、スパッタリング等の半導体製造プロセスを用いて基板上に製膜された電気熱変換体、電極、液路壁、天板等により構成することができ、液路および吐出口の高密度配置が可能で、一層のコンパクト化を図ることができる。
【０００５】
前記したようなシリアルタイプのインクジェット方式の記録装置においては、搬送ローラにより副走査方向に搬送される記録媒体に対し、記録媒体搬送方向と平行に配列された複数の吐出口を有する記録ヘッドが主走査方向に移動しながら、この移動の間に１行分の記録が行われる。記録動作中は記録媒体が停止しており、１行分の記録が終了すると、記録媒体は所定ピッチだけ送られて停止する。それから、記録ヘッドが主走査方向に移動しながら次の行の記録が行われる。このような一連の動作を繰り返すことにより記録媒体全体に画像記録が行われる。
【０００６】
【特許文献１】
特開平０６−５５２０８号公報
【特許文献２】
特開平０６−１２６９５２号公報
【特許文献３】
特開平０６−１６６１７３号公報
【特許文献４】
特開平０７−２５００７号公報
【特許文献５】
特開平１１−１３８７８３号公報
【０００７】
【発明が解決しようとする課題】
従来、インクジェット方式の記録によると、画像記録に寄与するインク液滴の他に、画像記録に寄与しない微小インク液滴（ミスト）も記録ヘッドから吐出される。
【０００８】
このミストは大きさも質量も小さいため、空中を浮遊し装置内部の様々な部位に付着して汚してしまう。そして、プラテンや記録シート搬送ガイド部材に付着したミストは、記録媒体にインク汚れとして付着し、良好な記録画像の妨げとなる。また、プラテンや記録シート搬送ローラ等に付着蓄積したミストが増粘すると、記録シートの搬送がスムーズでは無くなり、斜行やしわ、波打ち等の搬送不良を引き起こす原因となる。また、ミストがキャリッジの摺動する軸や軸受等の可動部近辺に付着蓄積すると、可動部分の摩擦が増大して正常な動作が不可能となる場合もある。
【０００９】
さらに、このミストが、キャリッジ付近にあるエンコーダや、記録媒体またはキャリッジ等の位置を検出するための反射型フォトセンサ等の光学部品に付着した場合は、キャリッジや記録媒体の位置や速度情報が正確に監視できなくなり装置の正常な動作が不可能となる。
【００１０】
また電気部品にミストが付着した場合、インクの組成によっては、インクによるショートや腐食等がおこり記録装置破損のおそれがある。また、インクの組成によっては、メカ部品の腐食のおそれもある。また、ミストが、記録装置の隙間から外部に浮遊し、記録装置外装等のオペレータの手に触れる箇所や、装置周辺の作業面等に付着堆積して、装置周辺やオペレータがインク汚れを被るおそれもある。
【００１１】
さらに、近年は環境や人体に対する影響を無くす為、このミストを外部に排出せずに、本体内ですべて留める、もしくは回収する必要があり、その為に外部にミストが漏出しないような設計方法がとられ、記録装置本体に対しても悪影響となる為、回収力のあるファンまた効率よくミスト回収する為のファンの駆動方法が求められている。
【００１２】
これらの欠点や要求に対し、記録ヘッド、キャリッジ、プラテンなど記録部付近に空気流を発生させるためのファンやダクトを付設する構成が提案されている。例えば、特開平０６−５５２０８号には、記録装置内にファンを有するインクジェット方式の記録装置が提案されているが、ファンの制御は、装置内の温度を検出するサーミスタに基づいてのみ行われる。
【００１３】
また、記録装置においては、記録ヘッドとプラテンとの間隔はわずかであり、この間隔にヘッドを冷却したり、ミストを回収するための空気流の流路を確保するのは困難である。さらに、インクジェット記録時に、記録ヘッド近傍に強力な気流を発生させると、ミストだけでなく印字に必要なインク主滴の着弾位置を変えてしまうおそれがあるため、あまり強力な気流を発生させることは不可能である。
【００１４】
特開平０６−１２６９５２号や特開平０６−１６６１７３号、特開平０７−２５００７号では、インク定着やミスト回収のため、ファンを付設したプリンタが提案されており、そのファンは記録動作時のみ作動するよう制御されている。また、特開平１１−１３８７８３号にはキャリッジの位置に応じてファン駆動制御するという技術的思想が提案されているが、複数の吸気ファンによる駆動方法又は駆動パターンなどは記載されておらず、またミストを吸気するだけで、外部に漏出しないようにファンを制御し、ミストの回収を目的とした内容は無く、キャリッジの位置によるファンの駆動制御方法のみである。
【００１５】
シリアルタイプのプリンタでは、記録ヘッドを搭載したキャリッジが主走査方向に移動することによっても空気流が発生する。又、搬送を行う際に、記録媒体を搬送する副走査方向に移動することによっても空気流が発生する。
【００１６】
この空気流により、ミストが舞い上がり装置の様々な部位に付着する可能性もあり、キャリッジの移動・停止にかかわらず単純にファンによる気流を弱めに設定するだけ、もしくはキャリッジの位置、状態に応じてファンの駆動をオン・オフするだけではプリンタ機内に浮遊するミストを効果的に吸気できない場合があった。
【００１７】
本発明は上記課題を解決するものであり、その目的は、キャリッジを主走査方向に往復動作させて画像を形成するシリアルタイプの記録装置において、プリンタ機内に浮遊するミストの回収に対して、ファンによる吸気の効果を十分に発揮することが可能な記録装置を提供するものである。
【００１８】
【課題を解決するための手段】
上記目的を達成するための本発明に係る代表的な構成は、記録手段を搭載したキャリッジを移動させて記録媒体に記録を行うシリアル記録装置において、装置本体内から吸気を行う吸気手段と、前記キャリッジの位置を検知するキャリッジ状態検知手段と、前記キャリッジ状態検知手段により検知したキャリッジ位置と、前記記録手段の記録信号に応じて前記吸気手段の駆動を制御する吸気制御手段と、を有することを特徴とする。
【００１９】
上記構成にあっては、記録手段を搭載したキャリッジの位置や移動速度や移動方向を検知し、その結果に応じて、記録手段に影響を及ぼさない風量でファンによる最大出力を発生させ、効率的にミストの回収をすることができる。
【００２０】
【発明の実施の形態】
次に本発明の一実施形態に係る記録装置について、図面を参照して説明する。図１は第１実施形態に係るインクジェット方式の記録装置の斜視説明図である。
【００２１】
｛装置全体構成｝
図１に示すように、本実施形態のフレームに固定されている軸１に、キャリッジ２が摺動可能に取り付けられている。このキャリッジ２は、キャリッジ駆動手段であるキャリッジモータ３およびキャリッジベルト４により駆動されて、軸１に沿って矢印Ａ，Ｂ方向に移動する。キャリッジ２上には、インクジェットヘッド５が搭載されている。インクジェットヘッド５は、図示しないノズルと発熱素子などを有し、後述する記録制御信号を受けてインクを吐出して記録を行うものである。
【００２２】
また、本実施形態ではインクの吐出構成として、記録信号に応じて電気熱変換体に通電し、その熱エネルギーによってインクに生ずる膜沸騰を利用してインクに生ずる気泡の成長、収縮により、インクを吐出口から吐出して記録を行うように構成している。このように、熱エネルギーによって気泡を成長収縮させてインクを吐出させることで、特に応答性に優れた液体の吐出が達成できる。
【００２３】
軸１に沿うキャリッジ２の移動範囲の一端部付近にホームポジションが設けられており、インクジェットヘッド５がこのホームポジションに位置する時にインクジェットヘッドの図示しないノズル面と対向する位置に、ヘッド回復ユニット６が設けられている。このヘッド回復ユニット６は、ヘッド未使用時のノズルの乾燥を防ぐためのキャッピングや、ノズルの目詰まり等の不良を回復させるためのインク強制吸気等を行う。
【００２４】
キャリッジ２の移動領域の左右に、ファン７，８が設けられている。このファン７，８は、記録面付近から吸気を行う吸気手段である。図示しない外装フレームの内部に、図１に示す構成が収容されており、キャリッジ２の移動範囲である印字位置付近のスペースが図示しない外装フレームに囲まれて、ファン７，８による気流の経路が確保されている。
【００２５】
センサ９，１０は、キャリッジ２の位置を検出する反射型フォトセンサ等の光センサであり、その感応領域内のキャリッジ２の有無を判断する。センサ９はキャリッジ２のホームポジション付近に設けられたホームポジションセンサである。センサ１０は、ホームポジションから離れた位置にキャリッジ２が移動したことを検出する。
【００２６】
キャリッジ２の移動範囲に沿って、主走査方向の記録分解能に相当するピッチが刻まれているスケール等で構成されるリニアエンコーダ１１が配設され、このリニアエンコーダ１１と対向的に、記録位置を常に監視する光センサ等でエンコーダセンサ１３が設けられている。これらのセンサ９，１０とリニアエンコーダ１１とエンコーダセンサ１３のセンサ手段とが、本実施形態におけるキャリッジ状態検知手段である。
【００２７】
また、プラテン１４と、このプラテン１４と対向するシート押え板１５と、回転可能にプラテン１４に設けられているローラ１６と、このローラ１６を駆動する搬送モータ１７とにより搬送手段が構成されている。なお、図示しないが、記録シート等の記録媒体は、シート押さえ板１５とプラテン１４との間隙でこれらに挟持され、後述するがキャリッジ２の移動及びインクジェットヘッド５による記録に対応したタイミングで、搬送モータ１７の駆動によりローラ１６が回転して、記録媒体は記録装置上部へ断続的に搬送される。
【００２８】
｛制御手段｝
図２は、本実施形態の記録装置のブロック図である。この記録装置全体の動作を演算処理する演算手段としての主制御手段２３に、記録制御手段１８を介してインクジェットヘッド５が、搬送制御手段１９を介して搬送モータ１７が、キャリッジ駆動制御手段２０を介してキャリッジモータ３が、吸気制御手段２１を介してファンモータ２２がそれぞれ接続されている。
【００２９】
また、主制御手段２３に、センサ９，１０とリニアエンコーダ１１とエンコーダセンサ１３とを含むキャリッジ状態検知手段２４と、図１には示していない記録媒体の位置検出手段２５とが接続されている。また、ホストコンピュータやネットワークに接続するためのＩ／Ｆ部（インターフェース部）２６と操作・表示部２７も、主制御手段２３に接続されている。さらにこの主制御手段２３と、記録制御手段１８と、搬送制御手段１９と、キャリッジ駆動制御手段２０と、吸気制御手段２１とに電力を供給する電源２８が設けられている。
【００３０】
次に、各手段の詳細について説明する。
【００３１】
主制御手段２３は、ＲＯＭ（リード・オンリー・メモリ）３１と、ＣＰＵ（中央処理装置）２９と、ゲートアレイ３０と、ＲＡＭ（ランダム・アクセス・メモリ）３２とを含んでいる。ＲＯＭ３１には本記録装置の各種動作の制御プログラムが格納されている。ＣＰＵ２９は、ＲＯＭ３１に格納されている制御プログラムにしたがって各制御手段１８，１９，２０，２１に制御信号を供給し、インクジェットヘッド５、搬送モータ１７、キャリッジモータ３、ファンモータ２２を駆動させる。また、キャリッジ状態検知手段２４と位置検出手段２５とからのキャリッジの位置、移動速度、移動方向等の情報を受ける。さらに、ＣＰＵ２９は、操作・表示部２７およびＩ／Ｆ部２６との信号の送受信も行う。
【００３２】
記録制御手段１８は、記録手段の電源のオン・オフ切替え、印字データの転送およびラッチ、ヒートイネーブルの送出、温度制御等のインクジェットヘッド５の駆動制御を行う。
【００３３】
搬送制御手段１９は、記録媒体を搬送するための搬送モータ（ステッピングモータ）を駆動するモータドライバ等からなる。
【００３４】
キャリッジ駆動制御手段２０は、キャリッジ２を搬送するためのキャリッジモータ（ステッピングモータまたは直流モータ）を駆動するモータドライバ等からなる。また、キャリッジ駆動制御手段２０は、吸気制御手段２１にもキャリッジ駆動信号を送出する。
【００３５】
吸気制御手段２１は、ファンモータ２２のオン・オフスイッチング、ファンモータ２２の電圧又は電流を制御して回転数を制御し、またはファンモータの回転方向等の選択制御を行う。
【００３６】
Ｉ／Ｆ部２６は、データやコマンド等の記録信号を、ホストコンピュータまたはネットワークに対して入出力するための接続部である。
【００３７】
操作・表示部２７は、発光ダイオード、液晶ディスプレイ、キースイッチ等を含み、キースイッチから記録装置本体の電源スイッチやエラー解除等を入力したり、発光ダイオードや液晶ディスプレイにより記録装置の状態（電源オン・オフやオンライン接続状態，エラー等）を表示するものである。
【００３８】
電源２８は、ロジック電源を主制御手段２３に、モータ電源を記録制御手段１８および搬送制御手段１９およびキャリッジ駆動制御手段２０および吸気制御手段２１に、へッド駆動電源を記録制御手段１８にそれぞれ供給する。また、電源２８は、主制御手段２３により各種電源供給のオン・オフ等が制御される。
【００３９】
位置検出手段２５は、フォトインタラプタ、反射型フォトセンサ等からなり、記録シートの印字開始位置や印字終了位置の検知や、記録シートの搬送不良等のエラーを検知し、ＣＰＵ２３にその情報を伝達する。
【００４０】
キャリッジ状態検知手段２４は、インクジェットヘッド５を搭載したキャリッジ２の位置を監視しＣＰＵ２３にその情報を伝達する。例えば、常にキャリッジ２の位置を確認するエンコーダ等と、実際のキャリッジ２の位置が所望の位置にあるかどうかの判断を行って所望の位置にない場合にはエラー信号を制御手段に送出するセンサとを有している場合が多い。
【００４１】
｛記録動作｝
次に、本実施形態の特徴的な動作について、図３のフローチャート、図４のファン駆動制御のタイミングチャートを参照して説明する。
【００４２】
まず、記録装置本体の電源２８が投入される（Ｓ１）。キャリッジ状態検知手段２４が、キャリッジがホームポジションにあることを確認するなどの初期動作が行われる（Ｓ２）。なお、初期状態（記録動作を行っていないとき）には、キャリッジ２に搭載されたインクジェットヘッド５は、ホームポジション（図２に示す位置）にあり、ヘッド回復ユニット６によりキャッピングされている。
【００４３】
そして、操作・表示部２７からの入力等により、オンライン接続状態にあるかどうか判定を行う（Ｓ３）。オンライン接続状態であれば、インターフェース（Ｉ／Ｆ）部２６を介して図示しないホストコンピュータ等からの記録データの入力を受ける。通常、このＩ／Ｆ部２６から記録データの主制御手段２３への入力があると（Ｓ４）、ＣＰＵ２９およびゲートアレイ３０の制御により、画像処理・ＨＶ変換等が行われ、インクジェットヘッド５にて印字可能な１回走査毎のデータとしてＲＡＭ３２内のプリントバッファ領域に蓄積される。記録データの入力がない場合は、入力待ちの待機状態となる。
【００４４】
記録データの主制御手段２３への入力があると（Ｓ４）、主制御手段２３および搬送制御手段１９の制御により搬送モータ１７が駆動され、ローラ１６が回転して図示しない記録シート（記録媒体）が所定の印字開始位置まで搬送するとともに、ファン７，８の駆動制御を開始する（Ｓ５）。
【００４５】
なお、記録時間の短縮のため、この記録シート搬送は、前記した記録データの蓄積と同時に行われ、必ずしも１回走査分の記録データが揃ってから行われるとは限らない。そこで、位置検出手段２５により、記録シートが所定の印字開始位置に到達したことが確認されたら（Ｓ６）、記録シート搬送を停止するとともに、主制御手段２３およびキャリッジ駆動制御手段２０の制御によりキャリッジモータ３およびキャリッジベルト４が駆動され、インクジェットヘッド５を搭載したキャリッジ２がホームポジションから搬送される（Ｓ７）。
【００４６】
そして、キャリッジ状態検知手段２４（特にリニアエンコーダ１１およびエンコーダセンサ１３）によりキャリッジ２の位置を検出し、インクジェットヘッド５を搭載したキャリッジ２が印字領域内に入ったかどうかの判断を行う（Ｓ８）。
【００４７】
具体的には、例えば、本実施形態の記録装置が、主走査方向の記録密度６００ｄｐｉでＡ４サイズの記録を行うもので、ホームポジション側及びその反対側に各２０ｍｍ前後の余裕があるとすると、このリニアエンコーダ１１のスケールには、約６０００の目盛りが刻まれている。そして、ホームポジション側の突き当て位置を０とすると、リニアエンコーダ１１の目盛りでは、Ａ４サイズの印字を行う場合の印字開始位置は５００、印字終了位置は５５００となる。つまり、インクジェットヘッド５を搭載したキャリッジ２が印字領域内にあるかどうかの判断は、エンコーダセンサ１３により読み取ったリニアエンコーダ１１の目盛りが、５００を超えたかどうかの判断により行われる。
【００４８】
ファン７，８の回転速度は、図４に示すように、（１）ファンの回転が停止した状態をＡの状態、（２）ファンの設置位置から、インクジェットヘッド５を搭載したキャリッジ２が、印字領域の端部（本実施形態ではエンコーダセンサ１３により読み取ったリニアエンコーダ１１の目盛りが５５００の位置）で行うインク吐出に影響が無い範囲での最高回転速度をＢの状態、（３）ファンの最高回転速度をＣの状態とする。
【００４９】
（往路印字の場合のファン駆動）
インクジェットヘッド５を搭載したキャリッジ２が印字領域内に到達すると、主制御手段２３および吸気制御手段２１の制御により、ファンモータ２２を駆動してファン７，８により吸気を開始する（Ｓ９）。この際の各ファン７，８の駆動状態は、キャリッジホームポジション側のファン７（キャリッジ移動方向上流側のファン）の方はＡの状態からＢの状態へ回転速度が増加し、非ホームポジション側のファン８（キャリッジ移動方向下流側のファン）の方はＣの状態で回転する。そして、前記Ｓ７の工程と同様にキャリッジ２を主走査方向に搬送しつつ、ＲＡＭ３２内の前記記録データに応じて、主制御手段２３および記録制御手段１８の制御により、インクジェットヘッド５を駆動して記録媒体に向けてインク吐出を行い、画像を形成する（Ｓ１０）。
【００５０】
また、この際の各ファン７，８の駆動状態は、ファン７の方は回転数が低いＢの状態からエンコーダセンサ１３が読み取ったリニアエンコーダ１１の目盛りの増加に従い徐々に回転数を増加し、またファン８の方はＣの状態で回転している状態からエンコーダセンサ１３が読み取ったリニアエンコーダ１１の目盛りの増加に従い徐々に回転数を減少させる。
【００５１】
ＲＡＭ３２内に格納されている１回走査分の記録データに応じたインクジェットヘッド５による記録が完了すると（Ｓ１１）、キャリッジ２の位置が印字領域内かどうかの判断を行う（Ｓ１２）。
【００５２】
これは、エンコーダセンサ１３が読み取ったリニアエンコーダ１１の目盛りが５５００を超えたかどうかにより判断する。キャリッジ２が印字領域外に達すれば、各７，８のファンの駆動状態は、ファン７、８はＣの状態で回転し、浮遊するミストを図示しない回収手段に回収する（Ｓ１３）。
【００５３】
そして、主制御手段２３およびキャリッジ駆動制御手段２０の制御によりキャリッジモータ３およびキャリッジベルト４が停止して、インクジェットヘッド５を搭載したキャリッジ２の搬送が停止する（Ｓ１４）。なお、キャリッジ２の停止は、通常減速を行ってから完全停止となる。この際も各７，８のファンの駆動状態は、ファン７、８はＣの状態で回転し、浮遊するミストを回収手段に回収する。
【００５４】
以下、次回走査分について、記録データの有無の判断（Ｓ４）からキャリッジの停止（Ｓ１４）までの工程が繰り返される。
【００５５】
（復路印字の場合のファン駆動）
ただし、以上の説明においては、ホームポジション側から反対側へのキャリッジ２が移動する往路動作（図２矢印Ａ方向）の場合について説明したが、復路動作（図２矢印Ｂ方向）の場合は、Ｓ８およびＳ１２においてキャリッジ２が印字領域の内側か外側かを判断するためのリニアスケール１３の具体的な目盛りが、前記説明とは異なってくるが、その点以外は同じ工程の繰り返しとなる。
【００５６】
各ファンの駆動状態は、復路動作時は往路動作時と同様にキャリッジ移動方向上流側のファン８はＢの状態、キャリッジ移動方向下流側のファン７の方はＣの状態で回転する。
【００５７】
（片方印字の場合のファン駆動）
以上の説明は、主走査方向の記録画像を形成の記録モードに応じて、キャリッジ２が図１の矢印Ａ・Ｂ方向のどちらに移動する時にも、インクを吐出し記録を行う画像を形成する両方向印字に関するものである。これに対し、矢印Ａ方向にキャリッジ２が移動する時にのみインクを吐出して記録を行い、Ｂ方向にキャリッジ２が移動する時にはインクを吐出しない片方向印字とすることも可能である。
【００５８】
このように、記録モードが片方向印字の場合は、前記工程Ｓ１１で１回走査分の走査記録が終了すると、各ファン７，８の駆動状態は、ファン７、８はＣの状態で回転し、浮遊するミストを回収しながら、キャリッジ２がホームポジション側に戻るキャリッジリターン動作が行われる。
【００５９】
すべての主操作方向の動作が終了しても各７，８のファンの駆動状態は、ファン７，８はＣの状態で回転し、浮遊するミストを回収することで、記録装置内部に浮遊するミストを回収する。
【００６０】
つまり極力、インク吐出に影響が無い範囲での最高回転数でファンを駆動させ、記録装置内部に浮遊するミストを回収する制御方法である。
【００６１】
また、本実施形態では記録装置外部にミストの漏出を防ぐ事と記録装置内部に蓄積するミストを回収するためを目的としてファンを駆動させているが、浮遊するミストが落下付着して起こる画像形成の劣化を防ぐ為に、ファン７，８の回転方向を変えて吸気と排気とを切替え可能として空気の流れを作り、浮遊するミスト落下させないようにファンを駆動させる事も可能である。
【００６２】
〔実施態様〕
次に本発明を適用し得る好ましい実施態様を以下に列挙する。
【００６３】
［実施態様１］  記録手段を搭載したキャリッジを移動させて記録媒体に記録を行うシリアル記録装置において、
装置本体内から吸気を行う吸気手段と、
前記キャリッジの位置を検知するキャリッジ状態検知手段と、
前記キャリッジ状態検知手段により検知したキャリッジ位置と、前記記録手段の記録信号に応じて前記吸気手段の駆動を制御する吸気制御手段と、
を有することを特徴とするシリアル記録装置。
【００６４】
［実施態様２］  前記吸気手段で吸気したミストを回収する回収手段を有することを特徴とする実施態様１記載のシリアル記録装置。
【００６５】
［実施態様３］  前記キャリッジ状態検知手段は、位置検知用のエンコーダ又はフォトセンサからなるセンサ手段、または該センサ手段と該センサ手段からの位置情報から速度や方向を算出する演算手段とからなり、前記キャリッジの位置、移動速度、移動方向または移動の有無を検知することを特徴とする実施態様１又は実施態様２に記載のシリアル記録装置。
【００６６】
［実施態様４］  前記吸気手段は、ファンモータに駆動されて吸気を行うファンを有することを特徴とする実施態様１乃至実施態様３のいずれかに記載のシリアル記録装置。
【００６７】
［実施態様５］  前記吸気手段は、ファンモータに駆動され、該ファンモータの回転方向により吸気と排気とが切替え可能なファンを有することを特徴とする実施態様４に記載のシリアル記録装置。
【００６８】
［実施態様６］  前記ファンが複数個設けられていることを特徴とする実施態様４又は実施態様５に記載のシリアル記録装置。
【００６９】
［実施態様７］  前記吸気制御手段は、前記ファンモータのオン・オフの切替え又は前記ファンモータの電圧又は電流の制御またはファンモータの回転方向の選択を行うことを特徴とする実施態様１記載のシリアル記録装置。
【００７０】
［実施態様８］  前記シリアル記録装置は、記録手段が信号に応じてインクを吐出して記録することを特徴とする実施態様１乃至実施態様７のいずれかに記載のシリアル記録装置。
【００７１】
［実施態様９］  前記シリアル記録装置は、記録手段が信号に応じて電気熱変換体に通電し、該電気熱変換体の発する熱エネルギーによってインクを吐出することを特徴とする実施態様８記載のシリアル記録装置。
【００７２】
【発明の効果】
以上説明したように本発明によれば、シリアルタイプの記録装置のキャリッジ状態に応じて、ファン風量を制御することが可能となる。これにより、キャリッジの位置や動作や移動方向や移動速度に応じて、ファンのオン・オフや気流の方向や気流の強弱等を変化させることができる。
【００７３】
また本発明により、効果的にファンによる吸気によってミストの回収が可能になり、記録装置外部にミストの漏出を防ぐ事ができ、また記録装置内部に蓄積するミストも回収できるため、駆動部の特性劣化や記録媒体がインクで汚れてしまう事などを防ぐことが可能である。
【図面の簡単な説明】
【図１】本発明の記録装置の一実施形態であるインクジェットタイプの記録装置の要部を示す斜視図である。
【図２】本発明の実施形態のブロック図である。
【図３】本発明の実施形態の動作を示すフローチャートである。
【図４】本発明の実施形態のファン駆動制御のタイミングチャートである。
【符号の説明】
１    …軸
２    …キャリッジ
３    …キャリッジモータ
４    …キャリッジベルト
５    …インクジェットヘッド
６    …ヘッド回復ユニット
７，８  …ファン
９，１０  …センサ（キャリッジ状態検知手段）
１１    …リニアエンコーダ（キャリッジ状態検知手段）
１３    …エンコーダセンサ（キャリッジ状態検知手段）
１４    …プラテン
１５    …シート押え板
１６    …ローラ（記録媒体搬送手段）
１７    …搬送モータ（記録媒体搬送手段）
１８    …記録制御手段
１９    …搬送制御手段
２０    …キャリッジ駆動制御手段
２１    …吸気制御手段
２２    …ファンモータ
２３    …主制御手段
２４    …キャリッジ状態検知手段
２５    …位置検出手段
２６    …Ｉ／Ｆ部
２７    …操作・表示部
２８    …電源
２９    …ＣＰＵ
３０    …ゲートアレイ
３１    …ＲＯＭ
３２    …ＲＡＭ
【図１】
2004181704.tif 000003
【図２】
2004181704.tif 000004
【図３】
2004181704.tif 000005
【図４】
2004181704.tif 000006